(57)【要約】【課題】  受信している番組の画像を縮小せず、かつ、受信している番組の画像をできるだけ隠すことなく、番組表などに基づく番組情報を必要最小限の領域内で表示すること。【解決手段】  電子番組表などの番組に関する情報が付加されたデジタル放送信号を受信し、受信したデジタル放送信号中の番組に関する付加情報を取得して処理する付加情報処理機能と、番組に関する付加情報を、現在選局受信している番組の表示画像上に合わせて表示可能な機能とを、有したデジタル放送受信システムにおいて、現在選局受信している番組の表示画像上に表示する前記付加情報を、表示画面内の狭幅横長の領域内において、順次切り換えて表示する。【選択図】      図４
2005079811.tif 000002
【特許請求の範囲】
【請求項１】
電子番組表などの番組に関する情報が付加されたデジタル放送信号を受信し、受信したデジタル放送信号中の番組に関する付加情報を取得して処理する付加情報処理機能と、番組に関する付加情報を、現在選局受信している番組の表示画像上に合わせて表示可能な機能とを、有したデジタル放送受信システムであって、
現在選局受信している番組の表示画像上に表示する前記付加情報を、表示画面内の狭幅横長の領域内において、順次切り換えて表示することを特徴とするデジタル放送受信システム。
【請求項２】
請求項１に記載のデジタル放送受信システムにおいて、
前記取得した付加情報に基づいて、少なくとも、現在放送されている全てのチャンネルの番組の番組情報を一覧表とした番組情報表を構築し、この番組情報表を用いて、現在放送されている各チャンネルの番組の番組情報を、１つの番組毎に、前記狭幅横長の領域内に順次テロップ表示することを特徴とするデジタル放送受信システム。
【請求項３】
請求項２に記載のデジタル放送受信システムにおいて、
前記テロップ表示される番組の番組情報には、現在テロップ表示されている番組を選局できるように割り当てたリモコンのボタン種別が付加表示されることを特徴とするデジタル放送受信システム。
【請求項４】
請求項１に記載のデジタル放送受信システムにおいて、
前記取得した付加情報に基づいて、現在以後に放送開始予定の全てのチャンネルの番組の番組情報を一覧表とした番組情報表を構築し、この番組情報表を用いて、現在以後に放送開始予定の各チャンネルの番組の番組情報を、１つの番組毎に、前記狭幅横長の領域内に順次テロップ表示することを特徴とするデジタル放送受信システム。
【請求項５】
請求項１に記載のデジタル放送受信システムにおいて、
前記取得した付加情報に基づいて、現在放送されている全てのチャンネルの番組の番組情報および現在以後に放送開始予定の全てのチャンネルの番組の番組情報を一覧表とした番組情報表を構築し、この番組情報表を用いて、現在放送されている各チャンネルの番組の番組情報または現在以後に放送開始予定の各チャンネルの番組の番組情報を、１つの番組毎に、前記狭幅横長の領域内に順次テロップ表示することを特徴とするデジタル放送受信システム。
【請求項６】
請求項４または５に記載のデジタル放送受信システムにおいて、
前記テロップ表示される現在以後に放送開始予定の番組の番組情報には、現在テロップ表示されている放送開始予定の番組を、視聴予約できるように割り当てたリモコンのボタン種別が付加表示されることを特徴とするデジタル放送受信システム。
【請求項７】
請求項４または５に記載のデジタル放送受信システムにおいて、
前記テロップ表示される現在以後に放送予定の番組の番組情報には、現在テロップ表示されている放送開始予定の番組を、録画予約できるように割り当てたリモコンのボタン種別が付加表示されることを特徴とするデジタル放送受信システム。
【請求項８】
請求項１記載のデジタル放送受信システムにおいて、
前記放送番組に関する付加情報により、現在選局受信している番組の番組詳細情報を取得して保持し、表示画面内の前記した狭幅横長の領域内において、現在選局受信している番組に関する番組詳細情報を、順次切り換えてテロップ表示することを特徴とするデジタル放送受信システム。
【発明の詳細な説明】
【技術分野】
【０００１】
本発明は、デジタル放送を受信して表示するデジタル放送受信システムに係り、特に、電子番組表などの放送番組に関する情報が付加されたデジタル放送信号から取得した付加情報を、モニタ装置の表示画面上に表示する技術に関するものである。
【背景技術】
【０００２】
ＢＳデジタル放送やＣＳデジタル放送などのデジタル放送においては、多チャンネル化に伴い、現在受信し表示されている番組と同時に放送される他のチャンネルの番組情報や、将来放送される番組の番組表、さらには、現在受信中の番組に関する番組詳細情報が放送信号とともに送られている。
【０００３】
このようなデジタル放送の受信機では、上記の番組表などの番組情報を受信し、受信機器内のメモリなどに記憶して、表示機能を用いて画面上に表示できるようになっている。これらの表示手法については、例えば、特許文献１、特許文献２に記載の技術のように、情報の表示方法を工夫して、情報の選択や操作性の向上を図ったものが提案されている。
【特許文献１】特開平８−１２５９９６号公報
【特許文献２】国際公開番号  ＷＯ  ０１／３００７２号公報
【発明の開示】
【発明が解決しようとする課題】
【０００４】
ところで、従来技術による番組表などの番組情報の一般的な表示手法では、表示画面上に番組情報を表示するに際して、多チャンネルの複数番組の情報を一括して一覧表示するために、表示画面の略全体に番組表を表示して受信チャンネルの受信画像（選局受信している番組の映像）を一時的に隠すようにしたり、あるいは、受信画像の表示領域を縮小して、空いた領域に番組表などを表示するようにしており、表示画面上で、予約などの番組表に付随した機能を実現するための操作を可能としていた。
【０００５】
しかしながら、上記のような手法を採ると、受信映像の画像が一時的に隠されたり、縮小表示されるので、選局受信している番組の画像（映像）が一時的に途切れたり、縮小されるため、画像の鑑賞性が損なわれるという指摘があった。
【０００６】
本発明は上記の点に鑑みなされたもので、その目的とするところは、選局受信している番組の画像を縮小することなく、かつ、選局受信している番組の画像をできるだけ隠すことなく、番組表などに基づく番組情報を必要最小限の領域内で表示するようにし、以って、番組表などに基づく番組情報の表示を行っている際にも、選局受信している番組の画像の鑑賞性をできるだけ損なわないようにすることにある。また、本発明の目的とするところは、必要最小限の領域内での表示であっても、表示される番組情報をもとに、予約などの操作を実現できるようにすることにある。
【課題を解決するための手段】
【０００７】
本発明は上記した目的を達成するため、例えば、
電子番組表などの番組に関する情報が付加されたデジタル放送信号を受信し、受信したデジタル放送信号中の番組に関する付加情報を取得して処理する付加情報処理機能と、番組に関する付加情報を、現在選局受信している番組の表示画像上に合わせて表示可能な機能とを、有したデジタル放送受信システムにおいて、
前記取得した付加情報に基づいて、現在放送されている全てのチャンネルの番組の番組情報および現在以後に放送開始予定の全てのチャンネルの番組の番組情報を一覧表とした番組情報表を構築し、この番組情報表を用いて、現在放送されている各チャンネルの番組の番組情報または現在以後に放送開始予定の各チャンネルの番組の番組情報を、１つの番組毎に、現在選局受信している放送番組の表示画像上における所定の狭幅横長の領域内に、順次テロップ表示するように、構成される。  
さらに、前記テロップ表示される番組の番組情報には、現在テロップ表示されている番組を選局できるように、あるいは、視聴予約できるように、あるいは、録画予約できるように割り当てた、リモコンのボタン種別が付加表示される。
【発明の効果】
【０００８】
本発明によれば、各チャンネルの番組の番組情報を、１つの番組毎に、狭幅横長の領域内に順次テロップ表示するので、番組情報の表示領域を必要最小限の大きさに抑えることができ、これにより、現在選局受信している番組の表示画像の大部分を覆い隠すことがなくなるので、選局受信している番組の画像の鑑賞性をできるだけ損なわないようにすることができ、かつ、現在放送されている各チャンネルの番組の番組情報や、現在以後に放送開始予定の各チャンネルの番組の番組情報（番組名、ジャンルなどの情報）を、確認することも可能となる。  
また、テロップ表示される番組の番組情報には、現在テロップ表示されている番組を選局できるように、あるいは、視聴予約できるように、あるいは、録画予約できるように割り当てた、リモコンのボタン種別が付加表示されるので、リモコンの対応するボタンを操作するだけで、現在テロップ表示されている番組への選局切り換えや、現在選局受信している番組を視聴しながら、現在以後に放送開始予定の所望の番組の視聴予約や録画予約を、簡単・容易に行うことが可能となる。  
さらにまた、テロップによる表示によって、現在選局受信している番組に関して、その番組内容の概要や出演者などのその番組に関する詳細情報も、現在選局受信している放送番組を視聴しながら、確認することが可能となる。
【発明を実施するための最良の形態】
【０００９】
以下、本発明の実施の形態を、図面を用いて説明する。
【００１０】
ここで、放送番組に関する電子番組表などの番組情報を放送信号に付加するテレビジョン放送には、デジタルＢＳ放送、デジタルＣＳ放送、さらには地上波デジタル放送など各種デジタル放送が考えられるが、基本的にどのデジタル放送系も同様なシステム構成であるため、以下に述べる本発明の実施の形態によるデジタル放送受信システムでは、ＢＳデジタル放送系の受信システムを例にとり、電子番組表（以下、ＥＰＧと記す）などの番組情報を取得／利用するものとする。
【００１１】
図１は、本発明の一実施形態に係るデジタル放送受信システムの概略構成を示すブロック図である。図１において、１はＢＳデジタル放送を受信するＢＳデジタルアンテナ、２はＢＳデジタルチューナー、３は、受信ストリームを映像ストリームと音声ストリームと付加情とに分離するデータ分離部（デマックス）、４は映像復号部（ＭＰＥＧデコーダ）、５は付加データを処理する付加情報処理部、６は、映像復号部４からの復号映像データと付加情報処理部５からの付加情報とを、画像（映像）出力データとして合成処理する画像処理部、７は、画像処理部６から出力される画像データを表示するモニタ装置である。
【００１２】
図１に示す構成において、ＢＳデジタルチューナーで受信されたデジタル放送信号から、データ分離部３において分離された映像ストリームは、映像復号部４において受信映像データとして復号される。また、データ分離部３において同時に分離された付加情報には、現在放送されている全てのチャンネルの全ての番組の番組名、番組開始／終了時刻、番組のジャンルなどの番組情報や、これから放送される予定（現在以後に放送開始予定）の全てのチャンネルの全ての番組の番組名、番組開始／終了時刻、番組のジャンルなどの番組情報が含まれており、付加情報処理部５は、データ分離部３から入力されてくる付加情報から上記のような番組情報を取得して記憶し、この番組情報をチャンネル毎に処理して番組情報表を構築し、これを保持する。この付加情報処理部５による処理は、適宜の時間間隔を置いて持続的に行われ、最新に取得した番組情報から最新の番組情報表を構築して、常に最新の番組情報表を保持するようになっている。
【００１３】
図２は、付加情報処理部５によって構築された番組情報表の１例を示しており、この図２に示した例は、現在放送されている全てのチャンネルの全ての番組の番組情報から構築した番組情報表を示している。
【００１４】
また、図３は、付加情報処理部５によって構築された番組情報表の他の１例を示しており、この図３に示した例は、現在放送されている全てのチャンネルの全ての番組の番組情報、および、現在以後に放送開始予定の全てのチャンネルの全ての番組の番組情報から構築した番組情報表を示しており、この番組情報表は、各チャンネル毎にそれぞれ番組情報を時間軸に沿って配置したＥＰＧとなっている。なお、図３においては、番組Ａ−１〜番組Ｉ−１が現在（ここでは、例えばＡＭ１０：００）放送中の番組であり、番組Ａ−２〜番組Ｉ−２などが、現在以後に放送開始予定の番組である。
【００１５】
いま、図１のモニタ装置１の表示画面において、現在選局受信している番組の表示画像（表示映像）上に重畳させて、図２の番組情報表（現在放送されている番組のみからなる番組情報表）の情報を表示することを考える。従来の表示手法では、図２の番組情報表と同様の形態で、番組情報を一括して一覧表の形式で表示するようにしていたが、本発明の表示の第１例では、図２の番組情報表から１チャンネル毎（１つの番組毎）に番組情報を切り出して（この切り出しの制御は、例えば図示せぬシステムコントローラからの指令に基づいて、付加情報処理部５が実行する）、切り出した１番組単位の番組情報を、画像処理部６において、現在選局受信している番組の表示画像と合成して、これをモニタ装置７の画面上に表示させる。すなわち、現在選局受信している番組の表示画像を縮小処理することなく、現在選局受信している番組の表示画像上に重畳させる形で、モニタ装置７の画面上における所定の狭幅横長の領域内において、１番組単位で番組情報をテロップ形式で表示させる。そして、画像処理部６において合成する１番組単位の番組情報を順次切り換えて、テロップ形式の番組情報を１番組単位で順次切り換えて表示する。
【００１６】
図４は、上記した番組情報のテロップ形式の第１表示例を示しており、同図において、７ａはモニタ装置７の表示画面、８は現在選局受信している番組の表示画像、９は狭幅横長のテロップ表示領域、１０は、テロップ表示領域９内に表示された１番組単位のテキストでの番組情報である。この図４に示した例では、表示画面７ａ上の上側に１行書きのテロップ表示領域９があり、テロップ表示領域９にチャンネル番号、番組名、ジャンルなどを表示しており、ここでは１０１ｃｈ（チャンネル）で現在放送されている番組の番組情報を表示している。そして、この１０１ｃｈの番組の番組情報の表示を一定時間行った後は、図２の番組情報表の１０２ｃｈの番組の番組情報を一定時間表示して、以後、同様に各チャンネルの番組の番組情報を、順次テロップ表示していくようになっている。
【００１７】
なお、テロップ表示領域９は任意の位置に設定可能であり、また、ユーザのリモコンなどの操作によって、テロップ表示領域９を自在に移動できるように構成してもよい。また、テロップ表示領域９内の表示は１行書きに限らず、２行書きなどであってもよく、テロップ表示領域９の大きさも任意であって、場合によっては、ユーザのリモコンなどの操作によって、テロップ表示領域９の大きさを可変できるようにしてもよい。さらにまた、１番組単位の番組情報のテロップによる表示時間も任意であり、この表示時間も、ユーザがリモコンなどを操作することによって、所望の時間に設定できるように構成すればよい。
【００１８】
また、全てのチャンネルの番組の番組情報のテロップ表示を終了した後は、引続いて最初の１０１ｃｈから番組情報のテロップ表示を繰り返すようにしても、あるいは、一定時間間隔毎に、例えば、５分〜１５分程度の間隔で番組情報のテロップ表示を行うようにしてもよい。さらに、全てのチャンネルの番組情報のテロップ表示を終了した後の所定時間内に、あるチャンネルで現在放送されている番組の内容が変わった場合には、番組内容が変わった当該チャンネルの新しい番組の番組情報のみを、一時的にテロップ表示するようにしてもよい。
【００１９】
また、選局受信している番組の視聴中に、番組情報のテロップ表示を行うかどうかをユーザが選択できるようにして、ユーザが番組情報のテロップ表示を指令したときのみ、番組情報のテロップ表示を行うようにしてもよい。
【００２０】
さらにまた、現在選局受信している番組の表示画像上に重畳させる、各チャンネルの番組の番組情報のテロップ表示は、現在選局受信しているチャンネルを除いたいわゆる裏番組の番組情報のみとしても、あるいは、現在選局受信しているチャンネルの番組の番組情報を含むものとしてもよい。
【００２１】
図５は、本発明による番組情報のテロップ形式の第２表示例を示しており、図５に示した本表示例では、図４のテロップ表示領域９内の番組情報の表示１０に加えて、さらに、現在テロップ表示されているチャンネルの番組をダイレクトに選局できるように割り当てたリモコンのボタン種別１１を表示するようにしている。本例では、このボタン種別１１は、例えば、通常のＢＳデジタル放送のリモコン（リモートコントロール装置）に装備されていて、データ放送を楽しむためのカラーボタンの特定の色（例えば、青）としており、番組情報のテロップ表示が表示画面７ａ上で行われている期間内において、上記ボタン種別１１に対応するリモコンのボタン（ここでは、青のカラーボタン）をプッシュすると、そのときにテロップ表示されているチャンネルの番組を直ちに選局して、表示画面７ａ上の受信番組の表示画像８を切り換えるようになっている。
【００２２】
なお、現在テロップ表示されているチャンネルの番組をダイレクトに選局できるように割り当てたリモコンのボタン種別１１を複数設定して、この複数のボタン種別１１の個々を、現在放送されている各チャンネルの番組に対して個別に１対１に割り当て（例えば、リモコンのカラーボタンの各色や、数値ボタンの各数値などを、現在放送されている各チャンネルの番組に対して１対１に割り当て）、番組情報のテロップ表示が表示画面７ａ上で行われている期間内において、上記ボタン種別１１に対応するリモコンのボタンをプッシュすることで、ボタン種別１１に対応するチャンネルの番組を直ちに選局するようにしてもよい。
【００２３】
なおまた、現在テロップ表示されているチャンネルの番組をダイレクトに選局できるように割り当てたリモコンのボタン種別１１は、上記したボタン以外に任意のボタンとすることができ、場合によっては、２個のボタンを同時にプッシュするなどの２つのボタンの同時表示などであってもよい。
【００２４】
図６は、本発明による番組情報のテロップ形式の第３表示例を示しており、図６に示した本表示例は、図３の番組情報表（現在放送されている番組と現在以後に放送開始予定の番組の番組情報とからなる番組情報表）の情報をテロップ表示する場合の表示例である。この図６に示した本表示例では、テロップ表示領域９内に表示する１番組単位のテキストでの番組情報１０として、各チャンネル毎に、現在放送されている番組の番組情報と、現在以後に放送開始予定の番組の番組情報とを、順次切り換えてテロップ表示していく。つまり、ここでは、「１０１ｃｈの番組Ａ−１」→「１０１ｃｈの番組Ａ−２」→……「１０２ｃｈの番組Ｂ−１」→「１０２ｃｈの番組Ｂ−２」→……というように、テロップ表示する番組の番組情報を順次切り換え表示してゆき、現在放送されている番組の番組情報の表示色と、現在以後に放送開始予定の番組の番組情報の表示色とを、使い分けするようにされる。
【００２５】
ここで、図６を用いた上記の説明では、各チャンネル毎に、現在放送されている番組の番組情報と、現在以後に放送開始予定の番組の番組情報とを、順次切り換えてテロップ表示するとしたが、各チャンネル毎に、現在放送中の番組の次に放送開始予定の番組の番組情報だけを、順次テロップ表示するようにしても、あるいは、各チャンネル毎に、図３の番組情報表に保持された、現在以後に放送開始予定の番組の番組情報の全てを、順次テロップ表示するようにしてもよい。
【００２６】
なお、現在以後に放送開始予定の番組の番組情報のテロップ表示の手法としては、上記した例以外に、例えば、映画やスポーツなどの番組情報の中に含まれているジャンルの中から、ユーザが指定したジャンルと一致する番組の番組情報のみを表示する手法や、あるいは、例えば、ユーザの指定に基づき、ハイビジョン放送に限定した番組の番組情報のみを表示する手法などを採るようにしてもよい。あるいはまた、現在時刻の１週間後の同時間帯の放送予定番組というような、指定日時番組の番組情報を表示する手法を採るようにしてもよい。あるいはまた、現在時刻から一定期間、例えば同一日の全ての番組という指定による番組情報の表示や、現在時刻から５時間以内の全番組等の指定による番組情報の表示などとしても構わない。さらにはまた、例えば現在選局受信しているチャンネルにおいて、取得できた全ての放送開始予定の番組の番組情報を表示するというような、特定チャンネルにおける全番組予定の番組情報の表示としても構わない。
【００２７】
なおまた、上述した現在以後に放送開始予定の番組の番組情報のテロップ表示において、図６のテロップ表示領域９内の番組情報の表示１０に加えて、さらに、現在テロップ表示されている現在以後に放送開始予定の番組を視聴予約したり、録画予約できるように割り当てたリモコンのボタン種別を表示するようにしてもよい。例えば、本発明による番組情報のテロップ形式の第４表示例を示した図７のように、テロップ表示領域９内の番組情報の表示１０に加えて、現在テロップ表示されている現在以後に放送開始予定の番組をダイレクトに視聴予約できるように割り当てたリモコンのボタン種別１２（例えば、リモコンのカラーボタンの赤のボタンと対応する表示）、および、現在テロップ表示されている現在以後に放送開始予定の番組をダイレクトに視聴予約できるように割り当てたリモコンのボタン種別１３（例えば、リモコンのカラーボタンの緑のボタンと対応する表示）を表示するようにしてもよい。そして、番組情報のテロップ表示が表示画面７ａ上で行われている期間内において、上記ボタン種別１２に対応するリモコンのボタン（ここでは、赤のカラーボタン）をプッシュすると、そのときにテロップ表示されている現在以後に放送開始予定の番組を視聴予約できるようにし、番組情報のテロップ表示が表示画面７ａ上で行われている期間内において、上記ボタン種別１３に対応するリモコンのボタン（ここでは、緑のカラーボタン）をプッシュすると、そのときにテロップ表示されている現在以後に放送開始予定の番組を録画予約できるようにしてもよい。
【００２８】
図８は、本発明による番組情報のテロップ形式の第５表示例を示しており、図８に示した本表示例は、現在選局受信している番組の番組詳細情報を取得して保持し、テロップ表示領域９内に、現在選局受信しているその番組に関する詳細情報（受信チャンネル、番組名、番組放送時間、ジャンル、映像／音声種別、番組内容のあらまし、出演者など）を、順次切り換えてテロップ表示する表示例である。なお、この場合には、ユーザの指定によって、テロップ表示する内容として、番組名と放送時間を表示することや、番組内容のあらましのみを表示するなど、特定の情報を指定して表示するようにしてもよい。
【００２９】
なおまた、現在放送されている全てのチャンネルの全ての番組、あるいは、現在以後に放送開始予定の全てのチャンネルの全ての番組に関しても、番組詳細情報が取得できる場合には、テロップ表示領域９内に表示する１番組単位のテキストでの番組情報１０として、１つの番組毎に、その番組に関する詳細情報（受信チャンネル、番組名、番組放送時間、ジャンル、映像／音声種別、番組内容のあらまし、出演者など）を、順次切り換えて表示するようにしてもよい。なおこの場合には、ユーザの指定によって、ユーザが指定した番組のみについて、その番組に関する詳細情報をテロップ表示するようにしてもよい。
【図面の簡単な説明】
【００３０】
【図１】本発明の一実施形態に係るデジタル放送受信システムの概略構成を示すブロック図である。
【図２】本発明の一実施形態に係るデジタル放送受信システムにおける、付加情報処理部によって構築された番組情報表の１例を示す説明図である。
【図３】本発明の一実施形態に係るデジタル放送受信システムにおける、付加情報処理部によって構築された番組情報表の他の１例を示す説明図である。
【図４】本発明の一実施形態に係るデジタル放送受信システムにおける、番組情報のテロップ形式の第１表示例を示す説明図である。
【図５】本発明の一実施形態に係るデジタル放送受信システムにおける、番組情報のテロップ形式の第２表示例を示す説明図である。
【図６】本発明の一実施形態に係るデジタル放送受信システムにおける、番組情報のテロップ形式の第３表示例を示す説明図である。
【図７】本発明の一実施形態に係るデジタル放送受信システムにおける、番組情報のテロップ形式の第４表示例を示す説明図である。
【図８】本発明の一実施形態に係るデジタル放送受信システムにおける、番組情報のテロップ形式の第５表示例を示す説明図である。
【符号の説明】
【００３１】
１  ＢＳデジタルアンテナ
２  ＢＳデジタルチューナー
３  データ分離部（デマックス）
４  映像復号部（ＭＰＥＧデコーダ）
５  付加情報処理部
６  画像処理部
７  モニタ装置
７ａ  表示画面
８  現在選局受信している番組の表示画像
９  テロップ表示領域
１０  番組情報
１１  現在テロップ表示されている番組を選局できるように割り当てたリモコンのボタン種別
１２  現在テロップ表示されている番組を視聴予約できるように割り当てたリモコンのボタン種別
１３  現在テロップ表示されている番組を録画予約できるように割り当てたリモコンのボタン種別
【図１】
2005079811.tif 000003
【図２】
2005079811.tif 000004
【図３】
2005079811.tif 000005
【図４】
2005079811.tif 000006
【図５】
2005079811.tif 000007
【図６】
2005079811.tif 000008
【図７】
2005079811.tif 000009
【図８】
2005079811.tif 000010